(57)【要約】【課題】筐体の長さに関わらず筐体の長さ方向全長に亘って照明体を配置でき、長さ方向全長に亘って明るい照明器具、該照明器具に用いる筐体および照明体を提供する。【解決手段】上面が開口している長手方向に延びる長尺の筐体１０と、筐体１０内に支持される、長手方向に列設された複数の光源２２を有する、長手方向に延びる長尺の主照明体２０と、筐体１０内の主照明体２０の配設位置とは高さ方向に異なる位置に支持される、長手方向に列設された複数の光源３１を有する、長手方向に延びる副照明体３０とを備え、副照明体３０を、筐体１０の長手方向において、一部を主照明体２０に重ねて、一部を筐体１０内の長手方向の主照明体２０が存在しない主照明体不存在領域に位置させて配設する。【選択図】図１
2020136140.tif 000002
【特許請求の範囲】
【請求項１】
上面が開口している、長手方向に延びる長尺の筐体と、
該筐体内に支持される、前記長手方向に所定間隔を空けて列設された複数の光源を有する、前記長手方向に延びる長尺の主照明体と、
前記筐体内の前記主照明体の配設位置とは上下方向に異なる位置に支持される、所定間隔を空けて列設された複数の光源を有する、前記長手方向に延びる副照明体と、
前記筐体の開口位置に保持されて前記開口を覆う、前記光源から出射された照明光を透過するカバーとを備え、
前記副照明体は、前記長手方向において、一部が前記主照明体に重なると共に一部が前記筐体内の前記長手方向の前記主照明体が存在しない主照明体不存在領域に位置している、
ことを特徴とする照明器具。
【請求項２】
前記副照明体が、前記筐体内において前記主照明体よりも上側に支持されている請求項１記載の照明器具。
【請求項３】
長尺の主照明体と長尺の副照明体とを備えた照明器具用の、上面が開口している、長手方向に延びる長尺の筐体であって、
前記長手方向に延びる底板と、該底板の幅方向の両端からそれぞれ立ち上がった前記長手方向に延びる一対の側板とを備え、
前記一対の側板のそれぞれが、上下方向の異なる位置に、前記主照明体を下側から支持する幅方向内側に向けて突出した主照明体下側突条および前記主照明体を上側から位置規制する幅方向内側に向けて突出した主照明体上側突条と、前記副照明体を下側から支持する幅方向内側に向けて突出した副照明体下側突条および前記副照明体を上側から位置規制する幅方向内側に向けて突出した副照明体上側突条と、
を備えていることを特徴とする筐体。
【請求項４】
前記主照明体下側突条および主照明体上側突条が前記副照明体下側突条および副照明体上側突条より下側に形成され、
前記主照明体下側突条が、前記底板から所定長上方に離れた高さ位置に形成され、
前記底板と前記主照明体下側突条との間に電線コネクタ収容部が形成されている請求項３記載の筐体。
【請求項５】
照明器具の長手方向に延びる長尺の筐体に収容される長尺の照明体であって、
前記長手方向に所定間隔を空けて列設された複数の光源と、
該光源を収容する前記長手方向に延びるケースと、
該ケースの幅方向の一端部に一つ、他端部に一つ配設された、前記ケースから前記光源の光出射方向に向けて突出した一対の突起部を備え、
前記一対の突起部は、前記長手方向に所定距離間隔を空けて配設されている、
ことを特徴とする照明体。
【請求項６】
前記一対の突起部は、該一対の突起部の外側面同士の幅方向の間隔が、前記筐体の一対の側板の内側面同士の幅方向の間隔よりも大である請求項５記載の照明体。
【請求項７】
前記一対の突起部のそれぞれが、平面視において幅方向外側に凸の湾曲形状を有している請求項５または６記載の照明体。
【発明の詳細な説明】
【技術分野】
【０００１】
本発明は、天井等の被取付部に取り付けて使用される長尺の照明器具であって、長手方向に所定間隔を空けて配設された複数のＬＥＤ発光素子等の光源を有する長尺の照明体を長尺の筐体の中に収容してなる照明器具に関する。
【背景技術】
【０００２】
従来、天井等の被取付部に取り付けて使用される長尺の照明器具、例えば直線的に延びた長尺の照明器具が知られている。そのような照明器具は、例えば、長尺の筐体内に長尺の照明体を収容し、この照明体を透光性のカバー、例えば光拡散性を有する乳白色の合成樹脂製カバーで覆って構成されている。また、照明体としては、例えば長尺の印刷配線基板上に所定間隔をおいて列状に複数のＬＥＤ発光素子等の光源を配設したものが用いられる。そのような照明器具として、例えば特許文献１に記載されているような照明器具が知られている。
【０００３】
また、複数のＬＥＤ発光素子を有する長尺の照明体は、特許文献２に示されているように、一定間隔毎に切断可能箇所を設け、所望の切断可能箇所にて切断することで所望長の長尺照明体を得ることができるようにしたものが知られている。
【先行技術文献】
【特許文献】
【０００４】
【特許文献１】実用新案登録第３２１７４６０号公報
【特許文献２】特開平９−５０２５３号公報
【発明の概要】
【発明が解決しようとする課題】
【０００５】
ところで、上記のような照明器具を設置する場合、設置場所に合せて長尺の筐体を所望の長さに切断して所望長の照明器具を作成し、これを設置場所に設置したいという要請がある。その場合、照明体自体は予め決められた所定長の長さのものを使用しようとすると、照明体の長さと筐体の長さが一致せず、筐体の長さ方向全長に亘って照明体を配置することができず、長尺の筐体の中の一部に照明体が配置されていない領域が生じ、結果として一部が暗い照明器具になってしまうという問題が生じる。
【０００６】
また、照明体が、上記のように所定間隔おきに切断可能箇所を設け、所望の切断可能箇所で切断することができるものであっても、切断は所定間隔おきの特定位置でしか行えないので、必ずしも所望長の筐体と合致した長さの照明体を得ることができるとは限らず、長尺筐体の一部領域に照明体が存在しない暗い照明器具にならざるを得ない場合が生じ得るという問題がある。
【０００７】
本発明の目的は、上記事情に鑑み、筐体の長さに関わらず筐体の長さ方向全長に亘って照明体を配置でき、長さ方向全長に亘って明るい照明器具、筐体および照明体を提供することにある。
【課題を解決するための手段】
【０００８】
本発明に係る照明器具は、
上面が開口している、長手方向に延びる長尺の筐体と、
該筐体内に支持される、前記長手方向に所定間隔を空けて列設された複数の光源を有する、前記長手方向に延びる長尺の主照明体と、
前記筐体内の前記主照明体の配設位置とは上下方向に異なる位置に支持される、所定間隔を空けて列設された複数の光源を有する、前記長手方向に延びる副照明体と、
前記筐体の開口位置に保持されて前記開口を覆う、前記光源から出射された照明光を透過するカバーとを備え、
前記副照明体は、前記長手方向において、一部が前記主照明体に重なると共に一部が前記筐体内の前記長手方向の前記主照明体が存在しない主照明体不存在領域に位置している、
ことを特徴とする。
【０００９】
前記照明器具においては、
前記副照明体が、前記筐体内において前記主照明体よりも上側に支持されているものとすることができる。
【００１０】
本発明に係る筐体は、
長尺の主照明体と長尺の副照明体とを備えた照明器具用の、上面が開口している、長手方向に延びる長尺の筐体であって、
前記長手方向に延びる底板と、該底板の幅方向の両端からそれぞれ立ち上がった前記長手方向に延びる一対の側板とを備え、
前記一対の側板のそれぞれが、上下方向の異なる位置に、前記主照明体を下側から支持する幅方向内側に向けて突出した主照明体下側突条および前記主照明体を上側から位置規制する幅方向内側に向けて突出した主照明体上側突条と、前記副照明体を下側から支持する幅方向内側に向けて突出した副照明体下側突条および前記副照明体を上側から位置規制する幅方向内側に向けて突出した副照明体上側突条と、
を備えていることを特徴とする。
【００１１】
前記筐体においては、
前記主照明体下側突条および主照明体上側突条が前記副照明体下側突条および副照明体上側突条より下側に形成され、
前記主照明体下側突条が、前記底板から所定長上方に離れた高さ位置に形成され、
前記底板と前記主照明体下側突条との間に電線コネクタ収容部が形成されているものとすることができる。
【００１２】
本発明に係る照明体は、
照明器具の長手方向に延びる長尺の筐体に収容される長尺の照明体であって、
前記長手方向に所定間隔を空けて列設された複数の光源と、
該光源を収容する前記長手方向に延びるケースと、
該ケースの幅方向の一端部に一つ、他端部に一つ配設された、前記ケースから前記光源の光出射方向に向けて突出した一対の突起部を備え、
前記一対の突起部は、前記長手方向に所定距離間隔を空けて配設されている、
ことを特徴とする。
【００１３】
前記照明体においては、
前記一対の突起部は、該一対の突起部の外側面同士の幅方向の間隔が、前記筐体の一対の側板の内側面同士の幅方向の間隔よりも大であるものとすることができる。
【００１４】
前記照明体においては、
前記一対の突起部のそれぞれが、平面視において幅方向外側に凸の湾曲形状を有しているものとすることができる。
【発明の効果】
【００１５】
本発明に係る照明器具は、長尺の筐体内に長尺の主照明体と長尺の副照明体とを、配設高さを異ならせて一部を上下に重複させながら主照明体が存在しない領域に副照明体を配設するように構成したので、筐体と主照明体の長さが異なり主照明体の長さよりも筐体の方が長い場合であっても、筐体の長手方向全長に亘って照明体を配置した照明器具を容易に得ることができる。また、配設高さを異ならせているので、両者の重複長さ（オーバーラップ長さ）を自由に調整でき、種々の長さの全長照明の照明器具を容易に得ることができる。
【００１６】
本発明に係る筐体は、一対の側板のそれぞれに、上下方向の異なる位置に、主照明体下側突条および主照明体上側突条と、副照明体下側突条および副照明体上側突条を備えているので、主照明体と副照明体とを高さ方向の位置を変えて収容することができ、それによって、主照明体と副照明体とを一部を重ねながらずらした状態で筐体の長手方向全長に亘って途切れることなく照明体を配設することができる。
【００１７】
本発明に係る照明体は、光源を収容する長手方向に延びるケースの幅方向の一端部および他端部にそれぞれ、前記光源の光出射方向に向けて延びる突起部を設けているので、この突起部の先端を筐体の側板の内面に形成した突条に突き当てることで照明体を保持できると共に、長手方向に所定間隔を空けて幅方向の一端部および他端部に設けているので、照明体を長手方向および幅方向の双方において安定的に筐体内に保持することができる。
【図面の簡単な説明】
【００１８】
【図１】本発明に係る照明器具の一実施形態の分解斜視図
【図２】図１に示す筐体の断面図
【図３】図１に示す主照明体の断面図
【図４】図１に示す副照明体の平面図
【図５】図１に示す副照明体の断面図
【図６】図１に示す遮光部材の断面図
【図７】図１に示すカバーの断面図
【図８】図１に示す連結部材の断面図
【図９】図１に示す照明器具の組立状態の断面図
【図１０】図９中のＸ−Ｘ線断面図
【図１１】本発明に係る照明器具の他の実施形態を示す概略図
【図１２】本発明に係る照明器具の他の実施形態を示す概略図
【図１３】本発明に係る照明器具の他の実施形態を示す概略図
【発明を実施するための形態】
【００１９】
以下、図面を参照して本発明の実施形態について説明する。図１は本発明の一実施形態である照明器具１を構成する各構成要素を分解して示す分解斜視図、図２は図１に示す筐体１０の断面図、図３は図１に示す主照明体２０の断面図、図４は図１に示す副照明体３０の平面図、図５は図１に示す副照明体３０の断面図、図６は図１に示す遮光部材４０の断面図、図７は図１に示すカバー５０の断面図、図８は図1に示す連結部材６０の断面図である。
【００２０】
本明細書においては、照明器具１および照明器具１を構成する各構成要素について、図１中の矢印Ｘで示す方向を長手方向、長手方向に直交する図１中の矢印Ｙで示す方向を幅方向、長手方向および幅方向に直交する図１中の矢印Ｚで示す方向を上下方向と称し、かつ、上下方向のうち、図１中の矢印Ｚの先に「上」と記している側を上、「下」と記している側を下と、幅方向のうち、図１中の矢印Ｙの先に「左」と記している側を左、「右」と記している側を右と称する。
【００２１】
図１に示す本実施形態の照明器具１は、天井や壁あるいは商品陳列棚等の被取付部に取り付けて使用される長尺の照明器具1であって、図示のように、長尺の筐体１０と、長尺の主照明体２０と、長尺の副照明体３０と、遮光部材４０と、長尺のカバー５０と、連結部材６０と、サイドキャップ７０とを備えている。
【００２２】
［筐体］  
図１および図２を参照して筐体１０を説明する。図２は図１に示す筐体１０の断面図（長手方向に直交する面で切断した断面図）である。筐体１０は、長手方向に延びる長尺の筐体であって、本実施形態では、２本の筐体構成部材１１を連結部材６０により長手方向に連結して構成している。筐体構成部材１１は遮光性の材料で形成され、本実施形態ではアルミニウムにより形成されている。各筐体構成部材１１は、長手方向に延びる底板１２と、底板１２の幅方向両端部即ち左右の端部から各々上方に向けて立ち上がって底板１２と平行に長手方向に延びる左右の側板１３とを備えた、上面が開口している、即ち上端開口の概略コ字状の断面形状を有している。
【００２３】
筐体１０は、長手方向の両端部において底板１２に電線を挿通するための電線挿通切欠１２ａが形成されている点を除き、長手方向全長に亘って同一の断面形状（図２に示す断面形状）を有している。電線挿通切欠１２ａは、筐体１０の長手方向両端部に、即ち図１中の左側の筐体構成部材１１の左端部および右側の筐体構成部材１１の右端部において、それぞれ底板１２の端から長手方向内側に向かって所定長延びる切欠であり、後述するサイドキャップ７０を筐体１０に取り付けたときにサイドキャップの電線挿通孔７１ａと重なる位置に形成された電線挿通孔７１ａに対応した大きさを有する切欠である。
【００２４】
図２に示されているように、左右の側板１３の内面には、底板１２側から上方に向かって順次、底板１２と共に連結部材６０を上下から挟持する連結部材上側突条１３ａ、主照明体２０を上下から挟持する主照明体下側突条１３ｂおよび主照明体上側突条１３ｃ、副照明体３０を上下から挟持する副照明体下側突条１３ｄおよび副照明体上側突条１３ｅ、後述するカバーの取付部の幅方向外側面に形成された突条５２ａを係止するカバー係止突条１３ｆが形成されている。
【００２５】
本実施形態では、主照明体上側突条１３ｃと副照明体下側突条１３ｄとが一つの兼用突条１３ｇで兼用されており、兼用突条１３ｇの下半分が主照明体上側突条１３ｃであって主照明体２０の上面位置を規制し、上側半分が副照明体下側突条１３ｄであって副照明体３０の下面を支持する。兼用突条１３ｇの上半分である副照明体下側突条１３ｄの上面は、上方幅方向外側に向けて傾斜した傾斜面１３ｈとされており、後述する副照明体の傾斜下面３３ｄに対応している。また、カバー係止突条１３ｆの上面も上方幅方向外側に向けて傾斜した傾斜面とされている。
【００２６】
筐体１０の左右の側板１３に挟まれた領域であって、底板１２と連結部材上側突条１３ａとの間は連結部材６０が収容される連結部材収容部１４、連結部材上側突条１３ａと主照明体下側突条１３ｂとの間は電線やコネクタその他の部品が収容される電線コネクタ収容部１５、主照明体下側突条１３ｂと主照明体上側突条１３ｃとの間は主照明体２０が収容される主照明体収容部１６、副照明体下側突条１３ｄと副照明体上側突条１３ｅとの間は副照明体３０が収容される副照明体収容部１７である。
【００２７】
［主照明体］
図１および図３を参照して主照明体２０を説明する。図３は図１に示す主照明体２０の断面図（長手方向に直交する面で切断した断面図）である。主照明体２０は、長尺のチューブ２１の内部に、複数の光源としてのＬＥＤ発光素子２２が１列に配設されてなるものである。複数のＬＥＤ発光素子２２は、支持体としての長尺の印刷配線基板２３の一表面上に、抵抗等その他の素子と共に、基板２３の長手方向に所定間隔をおいて並べて設けられている。チューブ２１は、例えばシリコン等の可撓性を有する半透明の軟質合成樹脂を用いて角筒状に形成され、その中空部分内にＬＥＤ発光素子２２を備えた基板２３が挿入されている。
【００２８】
基板２３はチューブ２１ごと、所定間隔毎に設けられた切断可能位置で金属用ハサミ等を用いて切断可能である。勿論、主照明体１０としては、本実施形態のような途中位置で切断可能には構成されていない照明体を使用することも可能である。
【００２９】
主照明体２０は、図１に示す通り、一端側に基板２３に接続された電線２４を介して入力側コネクタ２５が設けられている。本実施形態の主照明体２０は図示のように長手方向一端側にのみ入力側コネクタ２５が設けられているが、主照明体２０としては、さらに、入力側コネクタ２５が設けられている端側とは反対の端側に基板２３に接続された電線を介して送り側コネクタ（図示せず）を設けたものを使用することもできる。そのように一端側に入力側コネクタを、他端側に送り側コネクタを備えた主照明体である場合は、入力側コネクタと出力側コネクタとを互いに嵌合して電気的に接続可能としておくことにより、例えば主照明体同士を直接接続して、あるいは主照明体同士を間に後述する副照明体を介して接続して使用することが可能である。
【００３０】
［副照明体］
図１および図４、図５を参照して副照明体３０を説明する。図４は図１に示す副照明体３０の平面図（上方から見た図）、図５は図１に示す副照明体３０の断面図（長手方向に直交する面で切断した断面図であって、図４中のＶ−Ｖ線断面図）である。副照明体３０は、複数のＬＥＤ発光素子３１と、複数のＬＥＤ発光素子３１が所定間隔おきに長手方向に列設された長尺の基板３２と、ＬＥＤ発光素子３１が設けられた基板３２を収容する長手方向に延びる長尺のケース３３と、ケース３３の幅方向両端部に即ち幅方向右端部と幅方向左端部にそれぞれ一つずつ設けられた左右の突起部３５とを備えている。
【００３１】
基板３２は印刷配線基板であり、基板３２上にはＬＥＤ発光素子３１と共に抵抗等の電子部品が搭載されている。ケース３３は、上面が開口した即ち上端開口の長手方向に延びる断面略コ字状のケース本体３３ａと、ケース本体３３ａの上端開口を覆う上板３３ｂとで構成されている。ケース本体３３ａは長手方向両端部が閉じられており、ケース本体３３ａの中にＬＥＤ発光素子３１が設けられた基板３２が収容され、その上を上板３３ｂが覆っている。ケース本体３３ａは硬質合成樹脂により形成され、上板３３ｂは透光性かつ光拡散性の硬質合成樹脂で平板状に形成されている。ケース本体３３ａの下面は、幅方向中央に位置する平坦下面３３ｃと、平坦下面３３ｃの幅方向両端から上方に向かって幅方向外側に傾斜する傾斜下面３３ｄとを備えている。
【００３２】
左右の突起部３５は、ケース本体３３ａと同材によりケース本体３３ａと一体に形成されており、それぞれケース本体３３ａの幅方向左端部および幅方向右端部の上端から上方に向けて、即ちＬＥＤ発光素子３１の光出射方向に向けて（ケース本体３３ａの上端開口に向けて）延びている。左右の突起部３５はケース３３の長手方向に所定長離間させて設けられている。
【００３３】
左右の突起部３５は、それぞれ上方に向けて幅方向外側に傾斜しており、上端位置における左右の突起部３５の外側面間の距離Ｗｔは、筐体１０の副照明体収容部１７における左右の側板１３の内側面間の距離Ｗｋよりも僅かに長くなるように形成されている。また、左右の突起部３５は、特に図４に示すように、平面視において幅方向外側に突出する湾曲状に形成されている。さらに、左右の突起部３５は、副照明体３０を筐体１０の副照明体収容部１７に収容したときに、左右の突起部３５の上端が副照明体上側突条１３ｅの下側に入り込み副照明体上側突条１３ｅの下面に略当接する高さとされている。
【００３４】
ケース本体の平坦下面３３ｃには、ケース３３の長手方向略中央位置に電線ボックス３３ｅが取り付けられており、電線ボックス３３ｅからは、一端が基板３２に接続された入力側の電線３６が延出して該電線３６に入力側コネクタ３７が接続されていると共に、一端が基板３２に接続された送り側の電線３８も延出して該電線３８に送り側コネクタ３９が接続されている。入力側コネクタ３７と送り側コネクタ３９は互いに嵌合接続可能であって、さらに、入力側コネクタ３７は図示しない外部電源もしくは主照明体２０の図示しない送り側コネクタと嵌合接続可能であり、送り側コネクタ３９は主照明体２０の入力側コネクタ２５と嵌合接続可能である。
【００３５】
［遮光部材］
図１および図６を参照して遮光部材４０を説明する。図６は図１に示す遮光部材４０の断面図（長手方向に直交する面で切断した断面図）である。遮光部材４０は、遮光性を有する極めて薄い板、例えば厚さ０．０５ｍｍのステンレス鋼板により形成されており、底板４１と、底板４１の左右の端から上側に延びる左右の側板４２とを有し、長手方向に沿って同一の断面形状を有している。遮光部材４０においては、遮光部材４０は筐体１０内の筐体構成部材１１同士の連結位置に配置され、連結位置に生じ得る隙間から照明光が漏れるのを防止するためのものである。遮光部材４０の底板４１は筐体の主照明体下側突条１３ｂの上に載置され、左右の側板４２は、それぞれ筐体１０の左右の側板１３の主照明体収容部１６および副照明体収容部１７の内面に沿った形状に形成されている。
【００３６】
より詳しくは、遮光部材の左右の側板４２は、底板４１から上側に向けて延びた主照明体対応部４２ａと、主照明体対応部４２ａの上端から幅方向内側に向けて折れ曲る平板部４２ｂおよび平板部４２ｂの内端から上方幅方向外側に向けて延びる傾斜部４２ｃとで構成された凹条部（外側から見た場合の凹条）４２ｄと、凹条部４２ｄの上端から上方幅方向外側に向けて延びる副照明体対応部４２ｅとを有している。底板４１と主照明体対応部４２ａと凹条部の平板部４２ｂとで主照明体２０が嵌入する主照明体嵌入部４３が形成され、凹条部の傾斜部４２ｃと副照明体対応部４２ｅとで副照明体３０が嵌入する副照明体嵌入部４４か形成されている。遮光部材４０においては、例えば側板の副照明体対応部４２ｅの長手方向両端および上端を、また底板４１の長手方向両端部を、それぞれ数ｍｍ外側に折り返して取扱性を向上させることができる。
【００３７】
［カバー］
図１および図７を参照してカバー５０を説明する。図７は図１に示すカバー５０の断面図（長手方向に直交する面で切断した断面図）である。カバー５０は、主照明体２０および副照明体３０の各ＬＥＤ発光素子２２、３１から発せられた照明光を透過させると共に透過する際に拡散させて、照明光の強度を均一化させる。
【００３８】
カバー５０は、長手方向に延びる硬質合成樹脂製の長尺の光透過拡散部５１と、光透過拡散部５１の幅方向左右両端部からそれぞれ立ち下がって光透過拡散部５１と平行に延びる硬質合成樹脂製の取付部５２とを有する。光透過拡散部５１は乳白半透明で、取付部５２は白色で光不透過性（遮光性）の材料で形成されている。光透過拡散部５１と取付部５２とは接合されて一体的に形成されている。左右の取付部５２は、それぞれ下方幅方向内側に傾斜して延びており、外側面に長手方向に延びる突条５２ａを備えている。
【００３９】
［連結部材］
図１および図８を参照して連結部材６０を説明する。図８は図１に示す連結部材６０の断面図（長手方向に直交する面で、後述する止めネジ６４の位置において切断した断面図）である。連結部材６０は、長尺の金属製の上板６１と、それよりも幅広の金属製の長尺の下板６２とからなる。上板６１および下板６２は、複数個例えば４個のナット６３を介して接合されている。各ナット６３の中には止めネジ６４が螺合されている。止めネジ６４の上端には六角レンチが嵌入する六角凹部６４ａが形成されている。
【００４０】
［サイドキャップ］
図１を参照してサイドキャップ７０を説明する。筐体１０の長手方向両端にはサイドキャップ７０が取り付けられる。各サイドキャップ７０は、基部７１と、基部７１の外端部から立ち上がった蓋板７２とを有する。サイドキャップ７０は例えば硬質合成樹脂から形成される。基部７１は、筐体の連結部材収容部１４に嵌入される部分であり、連結部材６０と同様の断面形状、即ち下側が幅広で上側が幅狭の段差形状を有しており、かつ、電線挿通孔７１ａが形成されると共に止めネジ７１ｂが螺合されている。止めネジ７１ｂの上端には六角レンチが嵌入する六角凹部（図示せず）が形成されている。蓋板７２は、筐体１０の長手方向端部の開口を完全に閉じるべく、端部の開口に合致した形状大きさに形成されている。
【００４１】
［照明器具の組立て］
次に、照明器具１の組立てについて、上述の図１〜図８と共に、さらに組立完了状態の断面図（長手方向に直交する面で切断した断面図）である図９、図９のＸ−Ｘ線断面図である図１０を参照して説明する。なお、図９では、副照明体３０について右側の突起部３５の位置で切断した断面を、主照明体２０、遮光部材４０および連結部材６０についてはそれぞれ主照明体２０、遮光部材４０および連結部材６０が存在する位置で切断した断面を示している。また、図１０は各構成要素の組立状態を示す概略断面図であり、カバー５０および連結部材６０は図示省略、筐体構成部材１１および副照明体３０の上下方向と長手方向の寸法比は適宜変更、その他細部について適宜省略して図示している。
【００４２】
まず、２つの筐体構成部材１１を連結部材６０により連結して筐体１０を組み立てる。図２の断面図に示すように、筐体構成部材１１の左右の側板１３間には、底板１２と連結部材上側突条１３ａとの間に連結部材収容部１４が形成されており、図１において連結部材６０の長手方向右側部分を右側の筐体構成部材１１の連結部材収容部１４に、連結部材６０の長手方向左側部分を左側の筐体構成部材１１の連結部材収容部１４に、それぞれ筐体構成部材１１の端面側から挿入する。そうすることで、連結部材６０は、上板６１が連結部材上側突条１３ａ間に位置し、下板６２が底板１２と連結部材上側突条１３ａとの間に位置する。
【００４３】
次いで、２つの筐体構成部材１１を長手方向に当接させ、連結部材の各止めネジ６４を上側から六角レンチを用いて締め付けると、下板６２の下面から突出した止めネジ６４が底板１２を押し、下板６２の上面が連結部材上側突条１３ａの下面に圧接して、連結部材６０が２つの筐体構成部材１１に固定される。これにより、２つの筐体構成部材１１が、連結部材６０によって直列に連結され、筐体１０が組み立てられる。
【００４４】
本実施形態では２つの筐体構成部材１１を連結して筐体１０を構成しているが、３つ以上の筐体構成部材１１を連結して筐体１０を構成してもよく、その場合の各筐体構成部材１１同士の連結は上記と同様に行うことができる。なお、本実施形態の筐体１１の全高および全幅は、それぞれ例えば４０ｍｍ、１８ｍｍである。また、筐体１０は１つの筐体構成部材１１により構成されていても良い。
【００４５】
次に、サイドキャップ７０を取り付ける。図１に示したサイドキャップ７０の基部７１は、その長さ方向から見た断面形状が、図８に示す連結部材６０の断面形状と略同一であり、この基部７１を筐体１０の連結部材収容部１４に筐体１０の両端からそれぞれ挿入し、蓋板７２が筐体１０の長手方向端部に密接するまで押し込み、止めネジ７１ｂを六角レンチで締め付けることにより、連結部材６０と同様に、サイドキャップ７０が筐体１０に固定される。
【００４６】
次いで、遮光部材４０を組み込む。遮光部材４０の組み込みは、２つの筐体構成部材１１の連結位置（突合せ位置）において、筐体１０の上端開口から下方に向けて押し込むことにより行う。遮光部材４０の組み込みは、遮光部材の底板４１を下にして筐体１０の上端開口から下方に向けて筐体１０内に押し込み、底板４１が主照明体下側突条１３ｂの上面に当接する位置まで下降させることにより行う。
【００４７】
遮光部材５０はごく薄い金属板で形成されており、容易に弾性変形可能である。従って、遮光部材４０を筐体１０内に押し込む過程で、遮光部材４０は適宜弾性変形しながら、筐体の左右の側板１３の内面に形成された副照明体上側突条１３ｅ、兼用突条１３ｆ（副照明体下側突条１３ｄ、主照明体上側突条１３ｃ）を乗り越えて、筐体１０内に組み込まれる。
【００４８】
組込状態においては、遮光部材４０は、図１０に示すように、筐体構成部材１１同士の連結位置にあって両筐体構成部材１１間の隙間を覆っている。また、組込状態においては、遮光部材の副照明体対応部４２ｅは、自由状態において上方幅方向外側に傾斜して上端部の幅方向間隔が筐体の左右の側板の副照明体収容部１７の内面の幅方向間隔よりも大きく形成されているので、図９に示すように、遮光部材の左右の側板４２は筐体の左右の側板１３の内面に弾性的に圧接し、さらに、図９および図１０に示すように、遮光部材の左右の側板４２の上端が、筐体の左右の側板１３の内面に形成されている副照明体上側突条１３ｅの下面にほぼ突き当たる状態となっている。
【００４９】
次に、主照明体２０を筐体１０内に組み込む。主照明体２０は、遮光部材４０を組み込んだ状態において、筐体１０の上方から筐体１０の上端開口を通して下降させ、筐体１０の主照明体収容部１６内に押し込んで組み込む。この場合、主照明体のチューブ２１は可撓性を有する軟質合成樹脂製であるので、適宜弾性変形しながら兼用突条１３ｆ（副照明体下側突条１３ｄ、主照明体上側突条１３ｃ）を乗り越えて主照明体収容部１６内に挿入される。
【００５０】
主照明体２０は、遮光部材４０が組み込まれている位置では、遮光部材４０の主照明体嵌入部４３内に収容される。また、主照明体２０は、図１に示されているように、長手方向の右端が筐体４０の長手方向の右端に位置するように筐体１０内に収容され、筐体４０の長手方向左側には主照明体２０が存在しない主照明体不存在領域が生じている。
【００５１】
次いで、副照明体３０を挿入する。副照明体３０も筐体１０の上方から筐体１０の上端開口を通して下降させ、筐体１０の副照明体収容部１７内に押し込み、副照明体の傾斜下面３３ｄを副照明体下側突条１３ｄの傾斜面１３ｈに当接させて組み込む。また、副照明体の傾斜下面３３ｄが副照明体下側突条１３ｄの傾斜面１３ｈに当接するまで押し込んだ時点で、副照明体の突起部３５は副照明体上側突条１３ｅを乗り越えて突起部３５の上端が副照明体上側突条１３ｅの下面に略当接する。これにより副照明体３０は副照明体下側突条１３ｄと副照明体上側突条１３ｅとで上下から挟持され、副照明体３０は上下方向にガタツキなく筐体１０内に保持される。なお、遮光部材４０が存在する場所では、副照明体の傾斜下面３３ｄは遮光部材の傾斜面４２ｃに当接して遮光部材の副照明体嵌入部４４内に収容される。
【００５２】
また、副照明体３０の挿入過程において、前述のように副照明体の左右の突起部３５の外側面間の距離Ｗｔは筐体の左右の側板１３の副照明体収容部１７の内側面間の距離Ｗｋよりも僅かに大きく形成されており、挿入途中においては両突起部３５は、幅方向内側に向けて弾性変形可能であり、幅方向内側に向けて撓みながら副照明体上側突条１３ｅ間を通り抜け、先端が副照明体上側突条１３ｅの下に位置した時点で弾性的に幅方向外側に開いて、左右の突起部３５の外側面が筐体の左右の側板１３の内側面に押圧される状態で接触し、副照明体３０が幅方向においてもガタツキなく筐体１０内に保持される。
【００５３】
本実施形態では、上述の様に筐体１０内に主照明体２０を挿入した状態で、主照明体２０の長手方向の一端部（図１中の長手方向右側の端部）が筐体１０の長手方向の一端部（図１中の長手方向右側の端部）に位置するように配設され、筐体１０の長手方向の長さが主照明体２０の長手方向の長さよりも長いことから、筐体１０の長手方向の左側に主照明体２０が存在しない主照明体不存在領域が生じる。副照明体３０はこの主照明体不存在領域を埋めるように配設される。つまり、副照明体３０は、図１および図１０に示すように、その左端を筐体１０の左端に位置させ、その右端部を主照明体２０の上に位置させて主照明体２０と重複させ、筐体１０内の主照明体不存在領域を覆う態様で組み込まれる。
【００５４】
副照明体３０の筐体１０への組み込みに際しては、副照明体３０と主照明体２０とを電気的に接続するため、副照明体３０の送り側コネクタ３９と主照明体２０の入力側コネクタ２５を嵌合接続する必要がある。このコネクタ接続は、主照明体２０を筐体１０内に挿入する前に両コネクタを接続しておき、その状態から主照明体２０を挿入し、ついて副照明体３０を挿入しても良いし、主照明体２０を収容した後、両コネクタを接続し、その後副照明体３０を挿入する方法で行っても良い。なお、副照明体３０の入力側コネクタ３７は筐体１０の外部に引き出しておく必要があるので、副照明体３０を挿入する際には、副照明体３０を挿入しつつ入力側コネクタ３７を図１０に示すように、図示しないサイドキャップの電線挿通孔７１ａおよび筐体底板の電線挿通切欠き１２ａを通して筐体１０外に押し出しておく。接続された主照明体１０の入力側コネクタ２５および副照明体３０の送り側コネクタ３９は、図１０に示すように、筐体内の電線コネクタ収容部１５内に納められる。
【００５５】
次いで、カバー５０を取り付ける。カバー５０は、取付部５２の側から筐体１０の上端開口に押し込む。それにより、左右の取付部５２が弾性変化しながら、突条５２ａが筐体の左右の側板のカバー係止突条１３ｆを乗り越えてカバー係止突条１３ｆの下側に嵌まり込み、図９に示すように筐体１０に係止される。カバー５０は、その長手方向両端が筐体１０の長手方向両端に位置し、筐体１０の長手方向全長を覆っている。
【００５６】
カバー５０の全長に亘って延びる左右の取付部５２は遮光性のものとされており、取付部５２の下端は遮光部材の側板４２の上端位置よりも少し下方位置にまで延びる長さとされているので、両者は上下方向に重なっており、取付部５２と遮光部材４０とで、筐体構成部材１１同士の間に隙間が生じていたとしても、主照明体２０あるいは副照明体３０からの光が上記隙間から洩れ出ることが効果的に防止される。
【００５７】
上述の様にして組み立てられた本実施形態の照明器具１は、副照明体３０の入力側コネクタ３７を外部の直流電源側のコネクタに接続することにより、副照明体３０および主照明体２０が点灯可能となる。なお、電線３６が短く副照明体の入力側コネクタ３７を筐体１０外に引き出すことができない場合は、図示しない外部の直流電源側の電線を前述の電線挿通切欠１２ａおよび電線挿通孔７１ａを通して筐体１０の電線コネクタ収容部１５内に引き入れ、該電線に接続されているコネクタを副照明体３０の入力側コネクタ３７に電線コネクタ収容部１５内で嵌合接続させることができる。
【００５８】
上記の実施形態においては、図１０に示すように、筐体１０の長手方向の全長に対して主照明体２０の長さが不足し、主照明体２０のみでは筐体１０内に主照明体不存在領域が発生し、一部が暗い照明器具１になってしまうところ、その主照明体不存在領域に副照明体３０が配設されているので、筐体１０の長手方向全長に亘って、即ち長尺の照明器具の全長に亘って明るい照明器具１とすることができる。
【００５９】
また、主照明体２０と副照明体３０との配設位置を上下にずらし、両者を一部重畳させて配設する構成としたので、重複長を自由に調整でき、従って、所定の長さの主照明体２０と所定の長さの副照明体３０とを用いて、種々の長さの筐体１０においてその全長に亘って照明体を配設することができ、容易に種々長さの全長照明可能な照明器具を得ることができる。
【００６０】
また、上記の実施形態においては、副照明体の突起部３５は、平面視において幅方向外側に凸の湾曲状に形成されているので、副照明体３０を筐体１０内で長手方向にスライド移動させる場合、突起部３５が筐体の左右の側板１３の内側面に引っ掛かることなく滑らかに移動させることができる。さらに、副照明体３０を筐体１０内に挿入する際、上述の説明のように筐体１０の上端開口から下に向けて押し込むのではなく、筐体１０の長手方向端の開口から長手方向に押し込む方法で挿入することも可能であり、その際にも、突起部３５が平面視において幅方向外側に凸の湾曲状に形成されていることにより、突起部３５が筐体１０の長手方向端に引っ掛かることなく容易に押し込むことができる。
【００６１】
また、上記実施形態においては、筐体の底板１２から所定長上方に主照明体下側突条１３ｂを形成し、これにより底板１２と主照明体下側突条１３ｂとの間に電線コネクタ収容部１５を形成しているので、主照明体２０と副照明体３０とを電気的に接続するための電線およびコネクタを主照明体２０の下側の電線コネクタ収容部１５内に収容でき、両照明体２０，３０の電気的接続を筐体１０内において容易に行うことができる。
【００６２】
［主照明体と副照明体の他の組合せ例］
上述の実施形態では、直線状の照明器具において、１つの主照明体２０と１つの副照明体３０とを組み合わせて全長照明の照明器具を構成しているが、主照明体２０と副照明体３０との組合せは任意であり、種々の組合せ態様を、例えば図１１〜図１３に示す組合せ態様を採用可能である。図１１〜図１３はそれぞれ主照明体１０と副照明体２０の組合せ態様の例を示す概略図であり、図示は簡略化しているが、筐体１０、主照明体２０、副照明体３０、カバー５０その他照明器具１の基本構成は図１〜図１０に示す実施形態と同様である。また、図１３において副照明体３０は主照明体２０との区別を明瞭にするため実際よりも幅広に図示している。
【００６３】
図１１は、直線状の照明器具１であって、２本の主照明体２０と１本の副照明体３０とを用いた場合の一つの例を示す概略図である。図示の実施形態では、筐体１０の全長が主照明体２０の２本分の長さより長い場合であって、図中左側の主照明体（左主照明体）２０をその長手方向左側の端部が筐体１０の長手方向左側の端部に位置するように配置し、図中右側の主照明体（右主照明体）２０をその長手方向右側の端部が筐体１０の長手方向右側の端部に位置するように配設し、２つの主照明体２０間に形成されている主照明体不在領域に対応させて副照明体３０を、その長手方向の左側の一部が左主照明体２０の一部に、その長手方向の右側の一部が右主照明体２０の一部に重なるように配設している。
【００６４】
左主照明体２０は、長手方向左側の端部から基板２３（図示せず、以下同様）に接続された電線２４が延出し、電線２４の先に入力側コネクタ２５が接続されている。また、右主照明体２０は、長手方向右側の端部から基板２３に接続された電線２４が延出し、電線２４の先に入力側コネクタ２５が接続されていると共に、長手方向左側の端部から基板２３に接続された電線２６が延出し、電線２６の先に送り側コネクタ２７が接続され、この送り側コネクタ２７は副照明体３０の入力側コネクタ３７に嵌接続している。従って、左主照明体２０および右主照明体２０それぞれの入力側コネクタ２５を外部の直流電源に接続することにより、全ての照明体２０，３０が発光可能になる。
【００６５】
左右の主照明体２０の電線２４は、図１１に示すように、筐体１０の端面から筐体１０外に延出させても良いが（この場合は、例えば筐体１０の長手方向端が開口した状態であればその開口から、サイドキャップで覆われる場合はサイドキャップの蓋板７２に形成した挿通孔等から延出させることができる）、上述の実施形態のように、サイドキャップの電線挿通孔７１ａおよび筐体の底板に形成した電線挿通切欠１２ａを通して筐体１０外に延出させても良い。また、図１１中の右主照明体２０の電線２６および送り側コネクタ２７、副照明体３０の電線、入力側コネクタ３７および送り側コネクタ３９は、筐体の電線コネクタ収容部１５内に収容される。
【００６６】
図１２は、直線状の照明器具１であって、２本の主照明体２０と１本の副照明体３０とを用いた場合の他の例を示す概略図である。図示の実施形態は、図１１に示す実施形態と照明体間の電気的接続関係のみが異なり、その他の構成は図１１に示す実施形態と同様であるので、電気的接続関係についてのみ説明する。本実施形態では、左主照明体１０が入力側コネクタ２５を、副照明体３０が入力側コネクタ３７および送り側コネクタ３９を備えている点は同じであるが、右主照明体２０が、長手方向の左側端部に電線２４を介して入力側コネクタ２５を備え、長手方向の右側端部には電線も送り側コネクタも備えておらず、右主照明体の入力側コネクタ２５を副照明体の送り側コネクタ３９に接続し、副照明体の入力側コネクタ３７が電線３６を介して筐体１０外に引き出されている点が異なる。本実施形態では、左主照明体の入力側コネクタ２５および副照明体の入力側コネクタ３７を外部の直流電源に接続することにより、全ての照明体２０，３０が発光可能でなる。
【００６７】
図１３は、筐体１０がく字状に直角に折れ曲った形状の照明器具１であって、２本の主照明体２０と２本の副照明体３０を用いた場合の例を示す概略図である。図示の実施形態では、筐体１０が２つの筐体構成部材１１を連結して構成されており、各筐体構成部材は、一端が長手方向に対して４５°に斜めに切断され、その斜め切断端同士を突き合わせて連結して構成されている。この連結はどのような方法で行っても良いが、例えば、前述の連結部材１０と同様の連結部材であって、く字状に直角に折れ曲った連結部材を用いて連結することもできるし、また、この連結部においては連結部材や筐体の底板に穴を設けてそこから照明体のコネクタを筐体外に引出し可能に構成することができる。また、筐体構成部材１１同士の連結部には、図示していないが、上述の実施形態で用いた遮光部材４０と同様の断面形状を有する遮光部材であってく字状に直角に折れ曲った遮光部材を配設することもできる。
【００６８】
本実施形態では、直角に折れ曲った筐体の内図中縦方向に延びる縦筐体構成部材１１および図中横方向に延びる横筐体構成部材１１にそれぞれ１本の主照明体２０と１本の副照明体３０が配設されている。筐体構成部材１１、主照明体２０および副照明体３０については、それぞれ、連結側を「先」、連結側の反対側を「後」という。
【００６９】
図に示すように、縦筐体構成部材１１においては、縦筐体構成部材１１の後端に主照明体２０の後端を位置させ、縦筐体構成部材１１の先端側には主照明体２０が存在しない主照明体不存在領域が存在し、副照明体３０は先端を縦筐体構成部材１１の先端に位置させ後端側部分を主照明体２０に重ねて配設されている。また、横筐体構成部材１１においては、横筐体構成部材１１の後端に主照明体２０の後端を位置させ、横筐体構成部材１１の先端側には主照明体２０が存在しない主照明体不存在領域が存在し、副照明体３０は、先端を縦筐体構成部材側の副照明体３０の側面に突き当たる位置に位置させ後端側部分を主照明体２０に重ねて配設されている。
【００７０】
各照明体２０，３０の電気的接続については図示していないが、全ての照明体２０，３０が点灯可能となるように適宜に接続すればよい。例えば、縦筐体構成部材１１側においては、主照明体２０の後端に入力側コネクタを、先端に送り側コネクタを備えたものを使用し、後端の入力側コネクタを外部の直流電源に接続し、先端の送り側コネクタを副照明体３０入力側コネクタに接続すると共に、横筐体構成部材１１側においては、同様に主照明体２０の後端に入力側コネクタを、先端に送り側コネクタを備えたものを使用し、後端の入力側コネクタを外部の直流電源に接続し、先端の送り側コネクタを副照明体３０の入力側コネクタに接続することができる。
【００７１】
あるいは、例えば、縦筐体構成部材１１および横筐体構成部材１１のいずれにおいても、主照明体２０は先端に入力側コネクタを備え、その入力側コネクタを副照明体３０の送り側コネクタに接続し、副照明体３０の入力側コネクタをいずれも筐体構成部材１１同士の連結部において底板に形成した電線貫通孔から筐体１０外に引き出し、それらを外部の直流電源に接続する態様を採用することもできる。
【００７２】
本発明に係る照明器具１つまり筐体１０は、線状に延びるものであれば良く、必ずしも一直線状に延びるものに限らず、上述の様に直角に折れ曲ったものでも良く、あるいは湾曲状のもの等どのような形状で延びているものであっても良い。
【００７３】
主照明体２０と副照明体３０との組合せも、主照明体１０を何本、副照明体３０を何本用いるかは任意であり、各照明体同士の配置態様および電気的接続態様も任意である。また、上述の実施形態では、主照明体２０を下側に、副照明体３０を上側に配設しているが、副照明体３０を下側に、主照明体２０を上側に配設する態様であっても良い。その場合は当然ながら、筐体１０においては、底板１２から上方に向けて順に、副照明体下側突条、副照明体上側突条、主照明体下側突条、主照明体上側突条が設けられることになる。
【００７４】
上述の実施形態では、筐体の左右の側板１３に主照明体上側突条１３ｃと副照明体下側突条１３ｄとを一つの突条１３ｇで兼用しているが、勿論それらはそれぞれ別個に設けても良い。ただし、別個に設ける場合であっても、主照明体２０と副照明体３０は上下方向により近い位置に配設されるように別個に設けることが望ましい。上述の実施形態ではいずれも副照明体３０はその下面が主照明体２０の上面に接する状態で筐体１０内に支持されている。
【００７５】
上述の実施形態では、主照明体２０、副照明体３０、遮光部材４０はそれぞれ筐体１０の上端開口から下方に向けて押し込む態様で筐体１０内に組み込んでいるが、必ずしもそのような方法で組み込む必要はなく、例えば、適宜筐体１０の長手方向端の開口から長手方向にスライドさせながら押し込む態様で組み込むことも可能である。
【符号の説明】
【００７６】
１        照明器具
１０      筐体
１１      筐体構成部材      
１２      底板
１３      左右の側板
１３ｂ    主照明体下側突条
１３ｃ    主照明体上側突条
１３ｄ    副照明体下側突条
１３ｅ    副照明体上側突条
２０      主照明体
２２      ＬＥＤ発光素子
２３      基板
２５      入力側コネクタ
３０      副照明体
３１      ＬＥＤ発光素子
３２      基板
３３      ケース
３５      突起部
３７      入力側コネクタ
３９      送り側コネクタ
５０      カバー
【図１】
2020136140.tif 000003
【図２】
2020136140.tif 000004
【図３】
2020136140.tif 000005
【図４】
2020136140.tif 000006
【図５】
2020136140.tif 000007
【図６】
2020136140.tif 000008
【図７】
2020136140.tif 000009
【図８】
2020136140.tif 000010
【図９】
2020136140.tif 000011
【図１０】
2020136140.tif 000012
【図１１】
2020136140.tif 000013
【図１２】
2020136140.tif 000014
【図１３】
2020136140.tif 000015